(57)【要約】【課題】  周波数帯域の利用効率が向上されたネットワーク管理装置、ネットワークシステム、ネットワーク管理方法、及びネットワーク管理プログラムを提供する。【解決手段】  ネットワーク管理装置は、波長多重された複数の光信号が伝送されるネットワークを管理するネットワーク管理装置において、前記複数の光信号の各々の現用パス及び予備パスをそれぞれ決定する決定部と、前記ネットワーク内の隣接するノード間を結ぶリンクごとに、前記複数の光信号の各々の最大伝送レート分の周波数帯域が重ならないように、前記複数の光信号の各々の前記現用パスに、当該光信号の使用分の周波数帯域を割り当てる割り当て部とを有し、前記割り当て部は、前記リンクごとに、前記複数の光信号の各々の前記予備パスに、前記最大伝送レート分の周波数帯域のうち、未割当の周波数帯域を割り当てる。【選択図】図４
2017163358.tif 000002
【特許請求の範囲】
【請求項１】
波長多重された複数の光信号が伝送されるネットワークを管理するネットワーク管理装置において、
前記複数の光信号の各々の現用パス及び予備パスをそれぞれ決定する決定部と、
前記ネットワーク内の隣接するノード間を結ぶリンクごとに、前記複数の光信号の各々の最大伝送レート分の周波数帯域が重ならないように、前記複数の光信号の各々の前記現用パスに、当該光信号の使用分の周波数帯域を割り当てる割り当て部とを有し、
前記割り当て部は、前記リンクごとに、前記複数の光信号の各々の前記予備パスに、前記最大伝送レート分の周波数帯域のうち、未割当の周波数帯域を割り当てることを特徴とするネットワーク管理装置。
【請求項２】
前記割り当て部は、前記現用パスに割り当てた周波数帯域を拡張し、該拡張した周波数帯域の少なくとも一部が、前記予備パスに割り当てた周波数帯域と重なるとき、前記拡張した周波数帯域と重ならないように前記予備パスの周波数帯域を変更することを特徴とする請求項１に記載のネットワーク管理装置。
【請求項３】
前記割り当て部は、
前記予備パスに割り当てた周波数帯域を拡張するとき、該拡張後の周波数帯域の少なくとも一部が、前記現用パスまたは他の前記予備パスに割り当てた周波数帯域と重なるか否かを判定し、
前記拡張後の周波数帯域の少なくとも一部が、前記現用パスまたは他の前記予備パスに割り当てた周波数帯域と重なると判定した場合、前記拡張後の周波数帯域が前記現用パスまたは他の前記予備パスに割り当てた周波数帯域と重ならないように、該拡張対象の前記予備パスの周波数帯域を変更することを特徴とする請求項１または２に記載のネットワーク管理装置。
【請求項４】
前記割り当て部は、前記リンクごとに、前記複数の光信号の各々の最大伝送レート分の周波数帯域が隣接するように、前記複数の光信号の各々の前記現用パスに、当該光信号の使用分の周波数帯域を割り当てることを特徴とする請求項１乃至３の何れかに記載のネットワーク管理装置。
【請求項５】
複数の光信号を波長多重してそれぞれ伝送する複数の伝送装置と、
前記複数の伝送装置が複数のノードにそれぞれ設けられたネットワークを管理するネットワーク管理装置とを有し、
前記ネットワーク管理装置は、
前記複数の光信号の各々の現用パス及び予備パスをそれぞれ決定する決定部と、
前記ネットワーク内の隣接するノード間を結ぶリンクごとに、前記複数の光信号の各々の最大伝送レート分の周波数帯域が重ならないように、前記複数の光信号の各々の前記現用パスに、当該光信号の使用分の周波数帯域を割り当てる割り当て部とを有し、
前記割り当て部は、前記リンクごとに、前記複数の光信号の各々の前記予備パスに、前記最大伝送レート分の周波数帯域のうち、未割当の周波数帯域を割り当て、
前記複数の伝送装置は、前記割り当て部の周波数帯域の割り当てに従い、前記複数の光信号を伝送することを特徴とするネットワークシステム。
【請求項６】
波長多重された複数の光信号が伝送されるネットワークを管理するネットワーク管理方法において、
前記複数の光信号の各々の現用パス及び予備パスをそれぞれ決定する工程と、
前記ネットワーク内の隣接するノード間を結ぶリンクごとに、前記複数の光信号の各々の最大伝送レート分の周波数帯域が重ならないように、前記複数の光信号の各々の前記現用パスに、当該光信号の使用分の周波数帯域を割り当てる工程と、
前記リンクごとに、前記複数の光信号の各々の前記予備パスに、前記最大伝送レート分の周波数帯域のうち、未割当の周波数帯域を割り当てる工程とを、コンピュータが実行することを特徴とするネットワーク管理方法。
【請求項７】
波長多重された複数の光信号が伝送されるネットワークを管理するネットワーク管理プログラムにおいて、
前記複数の光信号の各々の現用パス及び予備パスをそれぞれ決定し、
前記ネットワーク内の隣接するノード間を結ぶリンクごとに、前記複数の光信号の各々の最大伝送レート分の周波数帯域が重ならないように、前記複数の光信号の各々の前記現用パスに、当該光信号の使用分の周波数帯域を割り当て、
前記リンクごとに、前記複数の光信号の各々の前記予備パスに、前記最大伝送レート分の周波数帯域のうち未割当の周波数帯域を割り当てる処理を、コンピュータに実行させることを特徴とするネットワーク管理プログラム。
【発明の詳細な説明】
【技術分野】
【０００１】
本件は、ネットワーク管理装置、ネットワークシステム、ネットワーク管理方法、及びネットワーク管理プログラムに関する。
【背景技術】
【０００２】
波長の異なる複数の光信号を多重して伝送する波長多重（WDM: Wavelength Division Multiplex）伝送方式が知られている。ＷＤＭ伝送方式を用いた伝送装置としては、例えばＲＯＡＤＭ（Reconfigurable Optical Add and Drop Multiplexer）が挙げられる。この種の伝送装置のネットワークを管理するネットワーク管理装置は、伝送装置間の光信号のパス（以下、「光パス」と表記）に周波数帯域を割り当てる。
【０００３】
ＩＴＵ−Ｔ（International Telecommunication Union Telecommunication Standardization Sector）勧告Ｇ．６９４．１には、１００（ＭＨｚ）または５０（ＭＨｚ）の固定された周波数間隔のグリッドによる光パスへの周波数帯域の割り当てが規定されている。しかし、この割り当て方法によると、光パスのトラフィック量に関わらず、同一幅の周波数帯域が割り当てられるため、周波数帯域の利用効率が低い。
【０００４】
これに対し、伝送距離や伝送容量などの条件に応じた最適な光資源を光パスに割り当てるエラスティック光ネットワーク技術が研究開発されている。エラスティック光ネットワーク技術によると、上記のような固定幅のグリッドではなく、可変幅のフレキシブルグリッドにより周波数帯域の割り当てが行われる（例えば特許文献１参照）ため、光パスにそのトラフィック量に応じた周波数帯域を割り当てることができる。
【０００５】
したがって、ネットワーク管理装置は、各光パスのフレキシブルグリッドの間隔を詰めることにより、周波数帯域の利用効率を固定幅のグリッドの場合より向上することができる。
【先行技術文献】
【特許文献】
【０００６】
【特許文献１】国際公開２０１５／０３３５４５号
【発明の概要】
【発明が解決しようとする課題】
【０００７】
ネットワーク管理装置は、通信回線の増加などにより光パスのトラフィック量が増加する場合、その光パスに割り当てた周波数帯域を拡張する。しかし、拡張後の周波数帯域が隣接する他の光パスの周波数帯域と重なる場合、光信号にエラーが生ずるため、周波数帯域を拡張できない。
【０００８】
これに対し、光パスの周波数帯域を他の光パスの周波数帯域と重ならないように変更すれば、周波数帯域を拡張することができる。しかし、この場合、光パスの周波数帯域がいったん削除されるため、一時的に光信号の伝送が停止し、通信サービスが中断してしまう。また、予め光パスに光信号の最大伝送レート分の周波数帯域を割り当てておけば、拡張時に光パス同士の周波数帯域が重なることはないが、フレキシブルグリッドの利点が損なわれ、周波数帯域の利用効率が低下する。
【０００９】
そこで本件は上記の課題に鑑みてなされたものであり、周波数帯域の利用効率が向上されたネットワーク管理装置、ネットワークシステム、ネットワーク管理方法、及びネットワーク管理プログラムを提供することを目的とする。
【課題を解決するための手段】
【００１０】
本明細書に記載のネットワーク管理装置は、波長多重された複数の光信号が伝送されるネットワークを管理するネットワーク管理装置において、前記複数の光信号の各々の現用パス及び予備パスをそれぞれ決定する決定部と、前記ネットワーク内の隣接するノード間を結ぶリンクごとに、前記複数の光信号の各々の最大伝送レート分の周波数帯域が重ならないように、前記複数の光信号の各々の前記現用パスに、当該光信号の使用分の周波数帯域を割り当てる割り当て部とを有し、前記割り当て部は、前記リンクごとに、前記複数の光信号の各々の前記予備パスに、前記最大伝送レート分の周波数帯域のうち、未割当の周波数帯域を割り当てる。
【００１１】
本明細書に記載のネットワークシステムは、複数の光信号を波長多重してそれぞれ伝送する複数の伝送装置と、前記複数の伝送装置が複数のノードにそれぞれ設けられたネットワークを管理するネットワーク管理装置とを有し、前記ネットワーク管理装置は、前記複数の光信号の各々の現用パス及び予備パスをそれぞれ決定する決定部と、前記ネットワーク内の隣接するノード間を結ぶリンクごとに、前記複数の光信号の各々の最大伝送レート分の周波数帯域が重ならないように、前記複数の光信号の各々の前記現用パスに、当該光信号の使用分の周波数帯域を割り当てる割り当て部とを有し、前記割り当て部は、前記リンクごとに、前記複数の光信号の各々の前記予備パスに、前記最大伝送レート分の周波数帯域のうち、未割当の周波数帯域を割り当て、前記複数の伝送装置は、前記割り当て部の周波数帯域の割り当てに従い、前記複数の光信号を伝送する。
【００１２】
本明細書に記載のネットワーク管理方法は、波長多重された複数の光信号が伝送されるネットワークを管理するネットワーク管理方法において、前記複数の光信号の各々の現用パス及び予備パスをそれぞれ決定する工程と、前記ネットワーク内の隣接するノード間を結ぶリンクごとに、前記複数の光信号の各々の最大伝送レート分の周波数帯域が重ならないように、前記複数の光信号の各々の前記現用パスに、当該光信号の使用分の周波数帯域を割り当てる工程と、前記リンクごとに、前記複数の光信号の各々の前記予備パスに、前記最大伝送レート分の周波数帯域のうち、未割当の周波数帯域を割り当てる工程とを、コンピュータが実行する。
【００１３】
本明細書に記載のネットワーク管理プログラムは、波長多重された複数の光信号が伝送されるネットワークを管理するネットワーク管理プログラムにおいて、前記複数の光信号の各々の現用パス及び予備パスをそれぞれ決定し、前記ネットワーク内の隣接するノード間を結ぶリンクごとに、前記複数の光信号の各々の最大伝送レート分の周波数帯域が重ならないように、前記複数の光信号の各々の前記現用パスに、当該光信号の使用分の周波数帯域を割り当て、前記リンクごとに、前記複数の光信号の各々の前記予備パスに、前記最大伝送レート分の周波数帯域のうち未割当の周波数帯域を割り当てる処理を、コンピュータに実行させる。
【発明の効果】
【００１４】
周波数帯域の利用効率を向上することができる。
【図面の簡単な説明】
【００１５】
【図１】ネットワークシステムの一例を示す構成図である。
【図２】ＲＯＡＤＭ装置の一例を示す構成図である。
【図３】比較例における周波数帯域の拡張処理を示す図である。
【図４】実施例における周波数帯域の割り当てを示す図である。
【図５】実施例における現用パスの使用帯域の拡張処理を示す図である。
【図６】実施例における予備パスの使用帯域の拡張処理を示す図である。
【図７】管理サーバの一例を示す構成図である。
【図８】セクションテーブル及び帯域テーブルの一例を示す図である。
【図９】セクションテーブル及び帯域テーブルにおける記号及びパラメータの定義を示す図である。
【図１０】現用パスの設定処理の一例を示すフローチャートである。
【図１１】予備パスの設定処理の一例を示すフローチャートである。
【図１２】現用パスの使用帯域の拡張処理の一例を示すフローチャートである。
【図１３】予備パスの使用帯域の拡張処理の一例を示すフローチャートである。
【図１４】現用パスの削除処理の一例を示すフローチャートである。
【図１５】予備パスの削除処理の一例を示すフローチャートである。
【図１６】現用パス及び予備パスの周波数帯域の管理動作の一例を示す図である（その１）。
【図１７】現用パス及び予備パスの周波数帯域の管理動作の一例を示す図である（その２）。
【図１８】現用パス及び予備パスの周波数帯域の管理動作の一例を示す図である（その３）。
【図１９】現用パス及び予備パスの周波数帯域の管理動作の一例を示す図である（その４）。
【図２０】現用パス及び予備パスの周波数帯域の管理動作の一例を示す図である（その５）。
【図２１】現用パス及び予備パスの周波数帯域の管理動作の一例を示す図である（その６）。
【図２２】現用パス及び予備パスの周波数帯域の管理動作の一例を示す図である（その７）。
【図２３】現用パス及び予備パスの一例を示す図である。
【図２４】比較例及び実施例における現用パス及び予備パスの周波数帯域の割り当て状態を示す図である。
【発明を実施するための形態】
【００１６】
図１は、ネットワークシステムの一例を示す構成図である。ネットワークシステムは、ネットワーク管理装置の一例である管理サーバ１と、複数のＲＯＡＤＭ装置２と、パーソナルコンピュータなどの操作端末３とを有する。操作端末３は、オペレータがＲＯＡＤＭ装置２を監視制御するためのＨＭＩ（Human Machine Interface）として機能し、ＤＣＮ（Data Communication Network）などを介して管理サーバ１に接続されている。
【００１７】
ＲＯＡＤＭ装置２は、管理サーバ１の管理対象のネットワーク５内のノードＮ１〜Ｎ５にそれぞれ設けられている。各ＲＯＡＤＭ装置２は、伝送装置の一例であり、複数の光信号を波長多重して伝送する。ＲＯＡＤＭ装置２同士は、伝送路である光ファイバにより接続されている。
【００１８】
ノードＮ１，Ｎ３の各ＲＯＡＤＭ装置２には、クライアントネットワークの複数のネットワーク機器（ＮＷ機器）４が接続されている。ＮＷ機器４としては、例えば、レイヤ２スイッチ、ルータ、及びレイヤ２スイッチ機能を実装した伝送装置などが挙げられるが、これに限定されない。
【００１９】
ネットワーク５は、ＮＷ機器４の間の通信を中継する中継ネットワークとして機能する。このため、各ＲＯＡＤＭ装置２の間には、ＮＷ機器４の通信回線（Ｌ２パス）を収容するパス（光パス）Ｐ１〜Ｐ２が設けられる。例えば、パスＰ１は、ノードＮ１〜Ｎ３の各ＲＯＡＤＭ装置２をこの順に経由し、パスＰ２は、ノードＮ１，Ｎ５，Ｎ３の各ＲＯＡＤＭ装置２をこの順に経由する。パスＰ３は、ノードＮ１，Ｎ４，Ｎ３の各ＲＯＡＤＭ装置２をこの順に経由し、パスＰ４は、ノードＮ１，Ｎ４，Ｎ５，Ｎ３の各ＲＯＡＤＭ装置２をこの順に経由する。
【００２０】
光信号はパスＰ１〜Ｐ４に沿って伝送される。異なる光信号の間でパスＰ１〜Ｐ４の少なくとも一部が重複する場合、その重複が生ずる伝送路において、光信号はＲＯＡＤＭ装置２により波長多重され、波長多重光信号として伝送される。例えば、パスＰ３，Ｐ４の各光信号は、ノードＮ１とノードＮ４の間の伝送路において波長多重されて伝送される。
【００２１】
管理サーバ１は、例えばＮＥ（Network Element）−ＯｐＳ（Operating System）であり、波長多重された複数の光信号が伝送されるネットワーク５を管理する。管理サーバ１は、ＤＣＮなどを介してネットワーク５内の各ＲＯＡＤＭ装置２と接続され、操作端末３からの操作に応じ、ネットワーク５に対しパスＰ１〜Ｐ４を設定し管理する。管理サーバ１は、隣接ノードＮ１〜Ｎ５の各ＲＯＡＤＭ装置２の間の伝送路をセクションＳＣ１〜ＳＣ８として定義し、セクションＳＣ１〜ＳＣ８ごとにパスＰ１〜Ｐ４の設定及び管理を行う。
【００２２】
例えば、ノードＮ１，Ｎ２の各ＲＯＡＤＭ装置２の間にはセクションＳＣ１が定義され、ノードＮ２，Ｎ３の各ＲＯＡＤＭ装置２の間にはセクションＳＣ２が定義されている。なお、セクションＳＣ１〜ＳＣ８は、隣接ノードＮ１〜Ｎ５の間を結ぶリンクに相当する。
【００２３】
管理サーバ１は、セクションＳＣ１〜ＳＣ８ごとに各パスＰ１〜Ｐ４に周波数帯域を割り当てる。割り当てられる周波数帯域は、パスＰ１〜Ｐ４に収容される通信回線の帯域に基づき決定される。なお、管理サーバ１は、周波数帯域に代えて波長帯域の割り当てを行ってもよい。
【００２４】
管理サーバ１は、光信号ごとに現用パス及び予備パスを決定する。現用パスは、通常時、光信号の伝送に用いられるパスＰ１〜Ｐ４であり、予備パスは、現用パスが経由するＲＯＡＤＭ装置２または伝送路に障害が発生したときに用いられるパスＰ１〜Ｐ４である。現用パス及び予備パスの間に切り替えは、ＲＯＡＤＭ装置２が自律的に行ってもよいし、管理サーバ１が行ってもよい。
【００２５】
図２は、ＲＯＡＤＭ装置２の一例を示す構成図である。より具体的には、図２には、一例として、一組の隣接ノードｉ，ｊ（ｉ，ｊ：正の整数）のＲＯＡＤＭ装置２が示されている。
【００２６】
ＲＯＡＤＭ装置２は、多重分離部（ＭＵＸ／ＤＭＵＸ）２０と、アンプ部（ＡＭＰ）２１，２２と、トランスポンダ（ＴＰ）２３〜２５と、制御ユニット２９とを有する。多重分離部２０、アンプ部２１，２２、ＴＰ２３〜２５、及び制御ユニット２９は、例えば光学部品や電子回路部品などが実装された基板として構成される。
【００２７】
アンプ部２１，２２は、光信号（波長多重光信号）を増幅する光アンプを有する。光アンプは、光信号の伝送方向ごとに設けられている。ノードｉのＲＯＡＤＭ装置２のアンプ部２１は、光ファイバ９を介してノードｊのＲＯＡＤＭ装置２のアンプ部２１と接続されている。なお、図２には、２方路（伝送路）分のアンプ部２１，２２だけが示されているが、実際にはＲＯＡＤＭ装置２が接続される方路分のアンプ部２１，２２が設けられる。また、光ファイバ９は、１本のみ示されているが、光信号の伝送方向ごとに個別に設けられる。
【００２８】
ＴＰ２３〜２５は、それぞれ、波長の相違する光信号Ｓ１〜Ｓ３の送受信器である。ＴＰ２３〜２５は、１以上の通信回線Ｌ１，Ｌ２，・・・Ｌｍ（ｍ：正の整数）と接続され、通信回線Ｌ１，Ｌ２，・・・Ｌｍのデータを光信号Ｓ１〜Ｓ３として送受信する。なお、図２には、ＴＰ２３の通信回線Ｌ１，Ｌ２，・・・Ｌｍのみが示されているが、他のＴＰ２４，２５にも、ＴＰ２３と同様に他の通信回線と接続される。ＴＰ２３〜２５は、多重分離部２０との間で光信号Ｓ１〜Ｓ３を送受信する。
【００２９】
ＴＰ２３〜２５は、それぞれ、個別の伝送レートを有する。例えば、ＴＰ２３，２５の伝送レートは１０（Ｇｂｐｓ）であり、ＴＰ２４の伝送レートは４０（Ｇｂｐｓ）である。このため、ＴＰ２３の光信号Ｓ１及びＴＰ２５の光信号Ｓ３の最大伝送レートは１０（Ｇｂｐｓ）となり、ＴＰ２４の光信号Ｓ２の最大伝送レートは４０（Ｇｂｐｓ）となる。
【００３０】
多重分離部２０は、光選択スイッチ（WSS: Wavelength Selective Switch）や光カプラなどの光学部品を有し、波長多重光信号に特定の波長の光信号を波長多重し、また、波長多重光信号から特定の波長の光信号を分離する。
【００３１】
例えば、ノードｉのＲＯＡＤＭ装置２において、多重分離部２０は、アンプ部２１から入力された波長多重光信号Ｓａに、ＴＰ２３〜２５から入力された光信号Ｓ１〜Ｓ３を波長多重する。これにより得られた波長多重光信号Ｓｍｕｘは、アンプ部２２を介して光ファイバ９に出力される。
【００３２】
一方、ノードｊのＲＯＡＤＭ装置２において、多重分離部２０は、アンプ部２１から入力された波長多重光信号Ｓｍｕｘから光信号Ｓ１〜Ｓ３を分離し、ＴＰ２３〜２５にそれぞれ出力する。光信号Ｓ１〜Ｓ３の分離後の波長多重光信号Ｓｂは、アンプ部２２を介して他のノードのＲＯＡＤＭ装置２に出力される。
【００３３】
このように、ノードｉのＲＯＡＤＭ装置２とノードｊのＲＯＡＤＭ装置２の間には、光信号Ｓ１〜Ｓ３が送受信される。管理サーバ１は、点線で示されるように、各光信号Ｓ１〜Ｓ３の個別のパスを設定する。このとき、管理サーバ１は、符号Ｇで示されるように、ノードｉ，ｊの間のセクションの光ファイバ９の周波数帯域を、ｎ個（ｎ：正の整数）の周波数帯域ｆ１〜ｆｎ（ＴＨｚ）に分割して管理し、各光信号Ｓ１〜Ｓ３の現用パス及び予備パスに割り当てる。
【００３４】
管理サーバ１は、ＲＯＡＤＭ装置２の制御ユニット２９に対し割り当て結果に基づく周波数設定を行う。制御ユニット２９は、ＣＰＵ（Central Processing Unit）回路などを有し、管理サーバ１と通信する。制御ユニット２９は、周波数設定に基づき多重分離部２０に波長設定を行う。
【００３５】
例えば、ノードｉのＲＯＡＤＭ装置２において、制御ユニット２９は、光信号Ｓ１〜Ｓ３が波長多重されるように、各光信号Ｓ１〜Ｓ３の波長をＷＳＳなどに設定する。また、ノードｊのＲＯＡＤＭ装置２において、制御ユニット２９は、光信号Ｓ１〜Ｓ３は波長多重光信号Ｓｍｕｘから分離されるように、各光信号Ｓ１〜Ｓ３の波長をＷＳＳなどに設定する。
【００３６】
また、管理サーバ１は、ＴＰ２３〜２５に新たな通信回線が接続された場合、光信号Ｓ１〜Ｓ３の伝送帯域を増加させるため、該当する現用パス及び予備パスに割り当てた周波数帯域を拡張する。
【００３７】
図３には、比較例における使用帯域の拡張処理が示されている。図３は、同一セクションにおける現用パス＃２，＃３の周波数スペクトルと予備パス＃１、＃４の周波数スペクトルを示す。各周波数スペクトルの幅は、現用パス＃２，＃３及び予備パス＃１、＃４に割り当てられた周波数帯域を示す。現用パス＃２，＃３及び予備パス＃１、＃４の周波数帯域は、フレキシブルグリッドに基づき配置され、互いに隣接している。
【００３８】
例１では、現用パス＃３の周波数帯域が、点線で示されるように拡張される。しかし、拡張された周波数帯域Ｘ１は、隣接する現用パス＃２及び予備パス＃４の周波数帯域と重なる。このため、現用パス＃２，＃３には光信号のエラーが生ずるし、予備パス＃４には、切り替えにより光信号の伝送が開始されたとき、光信号のエラーが生ずる。
【００３９】
これに対し、例２では、現用パス＃２の周波数帯域が、その拡張後に現用パス＃２及び予備パス＃４の周波数帯域と重ならないように、予備パス＃４の高周波数側に変更されている（矢印参照）。この場合、光信号のエラーは発生しないが、現用パス＃３の周波数帯域がいったん削除されるため（点線参照）、一時的に光信号の伝送が停止し、通信サービスが中断してしまう。
【００４０】
上記の例１において、仮に、予め現用パス＃２に光信号の最大伝送レート分の周波数帯域を割り当てておけば、拡張時に隣接する現用パス＃２及び予備パス＃４の周波数帯域が重なることはないが、フレキシブルグリッドの利点が損なわれ、周波数帯域の利用効率が低下する。
【００４１】
そこで、実施例では、光信号の最大伝送レート分の周波数帯域が重ならないように現用パスに使用分の周波数帯域を割り当て、予備パスに、最大伝送レート分の周波数帯域のうち、未割当の周波数帯域を割り当てることで、周波数帯域の利用効率を向上する。
【００４２】
図４には、実施例における周波数帯域の割り当てが示されている。本例では、同一のセクションに現用パス＃１〜＃３及び予備パス＃４〜＃７を設ける場合を挙げる。
【００４３】
図４において、「使用帯域」は、各現用パス＃１〜＃３の光信号の使用分の周波数帯域であり、「最大拡張可能帯域」は、現用パス＃１〜＃３の各光信号の最大伝送レート分の周波数帯域である。より具体的には、使用帯域は、光信号が実際に使用することができる周波数帯域であって、現用パス＃１〜＃３に収容する通信回線Ｌ１〜Ｌｍのトラフィック量などにより決定される。なお、予備パス＃４〜＃７の使用帯域は、各々に該当する現用系パス（図示せず）の使用帯域と同一である。
【００４４】
また、最大拡張可能帯域は、使用帯域を拡張（または縮小）することができる周波数帯域の範囲であって、現用パス＃１〜＃３の光信号を送受信するトランスポンダの伝送レート（物理帯域）に基づき決定される。例えば、現用パス＃１の光信号が図２のＴＰ２３により送受信される場合、光信号の最大伝送レートは１０（Ｇｂｐｓ）であるため、現用パス＃１の最大拡張可能帯域は１０（Ｇｂｐｓ）分の周波数帯域となる。また、現用パス＃２の光信号が図２のＴＰ２４により送受信される場合、光信号の最大伝送レートは４０（Ｇｂｐｓ）であるため、現用パス＃２の最大拡張可能帯域は４０（Ｇｂｐｓ）分の周波数帯域となる。なお、最大拡張可能帯域の周波数スペクトルは点線により示されている。
【００４５】
管理サーバ１は、符号Ｇ１で示されるように、各現用パス＃１〜＃３の最大拡張可能帯域が重ならないように、各現用パス＃１〜＃３に使用帯域を割り当てる。このため、現用パス＃１〜＃３の各使用帯域の間には、未割当の周波数帯域（以下、「未割当帯域」と表記）が確保される。
【００４６】
より具体的には、管理サーバ１は、各現用パス＃１〜＃３の最大拡張可能帯域が隣接するように、各現用パス＃１〜＃３に使用帯域を割り当てる。このため、各現用パス＃１〜＃３の最大拡張可能帯域の間には無駄な空き帯域が存在せず、周波数帯域の利用効率が向上する。
【００４７】
次に、管理サーバ１は、符号Ｇ２で示されるように、各予備パス＃４〜＃６に、最大拡張可能帯域のうち、未割当帯域を割り当てる。本例では、現用パス＃１，＃２の間の未割当帯域は予備パス＃４，＃５に割り当てられ、現用パス＃２，＃３の間の未割当帯域は予備パス＃６に割り当てられる。未割当帯域は、通常、使用されず、現用パス＃１〜＃３の使用帯域が拡張された場合に使用帯域となる周波数帯域である。すなわち、未割当帯域は現用パス＃１〜＃３の予約帯域である。
【００４８】
このため、予備パス＃４〜＃６の使用帯域は、現用パス＃１〜＃３の使用帯域と重っていないので、障害発生時のパス切り替えにより予備パス＃４〜＃６に光信号が伝送されても光信号のエラーは発生せず、通信サービスに影響はない。
【００４９】
また、現用パス＃１〜＃３の使用帯域が拡張された場合、その拡張された周波数帯域は、予備パス＃４〜＃６の使用帯域と重なるが、他の現用パス＃１〜＃３の使用帯域とは重ならない。予備パス＃４〜＃６には、障害発生によりパス切り替えが行われない限り、光信号が伝送されないため、現用パス＃１〜＃３の使用帯域を、光信号のエラーなく拡張することができ、通信サービスへの影響が回避される。
【００５０】
したがって、最大拡張可能帯域内の未割当帯域を予備パス＃４〜＃６に割り当てることにより、未割当帯域が有効に利用され、周波数帯域の利用効率が向上される。
【００５１】
次に、管理サーバ１は、符号Ｇ３で示されるように、予備パス＃７に使用帯域を割り当てる。現用パス＃１，＃２の間及び現用パス＃２，＃３の間の各未割当帯域は、他の予備パス＃４〜＃６に割り当て済みであるため、予備パス＃７には、現用パス＃３の高周波数側の未割当帯域が割り当てられる。このように、現用パス＃１〜＃３の間の未割当帯域が存在しない場合、高周波数側の未割当帯域を予備パス＃７に割り当てることができる。なお、高周波数側の未割当帯域に代えて、低周波数側の未割当帯域を予備パス＃７に割り当てることもできる。
【００５２】
管理サーバ１は、例えば現用パス＃１〜＃３に新たな通信回線Ｌ１〜Ｌｍを収容する場合、現用パス＃１〜＃３の使用帯域を拡張する。以下に、図４の現用パス＃２を拡張する場合を例に挙げて、現用パスの使用帯域の拡張処理について述べる。
【００５３】
図５には、実施例における現用パス＃２の使用帯域の拡張処理が示されている。符号Ｇ４は現用パス＃２の使用帯域の拡張前の状態を示し、符号Ｇ５は現用パス＃２の使用帯域の拡張後の状態を示す。
【００５４】
管理サーバ１は、符号ｅ１に示されるように、現用パス＃２に割り当てた使用帯域を拡張する。管理サーバ１は、その拡張した使用帯域Ｘ１，Ｘ２が、予備パス＃５，＃６に割り当てた使用帯域と重なるため、矢印で示されるように、現用パス＃２の拡張された使用帯域Ｘ１，Ｘ２と重ならないように予備パス＃５、＃６の使用帯域を変更する。
【００５５】
管理サーバ１は、予備パス＃５、＃６の使用帯域を、一例として、現用パス＃３の使用帯域の高周波数側の未割当帯域及び空き帯域に変更する。より具体的には、管理サーバ１は、予備パス＃５，＃６の使用帯域をいったん削除して、変更先の周波数帯域を改めて予備パス＃５，＃６に割り当てる。
【００５６】
予備パス＃５，＃６には、パス切り替えが行われない限り、光信号が伝送されない。このため、管理サーバ１は、パス切り替えが発生していない場合に予備パス＃５，＃６の使用帯域を変更することにより、通信サービスに影響することなく、現用パス＃２の使用帯域を拡張することができる。また、予備パス＃５，＃６の使用帯域は、現用パス＃２の拡張された使用帯域Ｘ１，Ｘ２と重ならないように変更されるため、パス切り替えによる予備パス＃５，＃６の光信号の伝送に備えることができる。
【００５７】
管理サーバ１は、現用パス＃１〜＃３の使用帯域を拡張する場合、その現用パス＃１〜＃３に対応する予備パスの使用帯域も拡張する。以下に、予備パス＃４を拡張する場合を例に挙げて、予備パスの使用帯域の拡張処理について述べる。
【００５８】
図６には、実施例における予備パス＃４の使用帯域の拡張処理が示されている。符号Ｇ６は予備パス＃４の使用帯域の拡張前の状態を示し、符号Ｇ７は予備パス＃４の使用帯域の拡張後の状態を示す。
【００５９】
管理サーバ１は、符号ｅ２に示されるように予備パス＃４に割り当てた使用帯域を拡張するとき、その拡張後の使用帯域が、他の現用パスまたは他の予備パスに割り当てた使用帯域と重なるか否かを判定する。つまり、管理サーバ１は、予備パス＃４に割り当てた使用帯域を拡張する前に、その拡張後の使用帯域と他の現用パスまたは他の予備パスの使用帯域との重複の有無を判定する。なお、判定手段については後述する。
【００６０】
管理サーバ１は、判定の結果、予備パス＃４の拡張後の使用帯域Ｘ３，Ｘ４が、現用パス＃１及び予備パス＃５に割り当てた使用帯域と重なると判定する。このため、管理サーバ１は、予備パス＃４の拡張後の使用帯域Ｘ３，Ｘ４が、現用パス＃１及び予備パス＃５に割り当てた使用帯域と重ならないように、拡張対象の予備パス＃４の使用帯域を変更する。
【００６１】
管理サーバ１は、予備パス＃４の使用帯域を、一例として、現用パス＃３の使用帯域の高周波数側の未割当帯域及び空き帯域に変更する。より具体的には、管理サーバ１は、予備パス＃４の使用帯域をいったん削除して、変更先の周波数帯域を改めて予備パス＃５，＃６に割り当てる。このとき、管理サーバ１は、元の使用帯域に拡張分の使用帯域Ｘ３、Ｘ４を追加した周波数帯域を、予備パス＃４に割り当てる。
【００６２】
予備パス＃４には、パス切り替えが行われない限り、光信号が伝送されない。このため、管理サーバ１は、パス切り替えが発生していない場合に予備パス＃４の使用帯域を変更することにより、通信サービスに影響することなく、予備パス＃４の使用帯域を拡張することができ、パス切り替えによる予備パス＃４の光信号の伝送に備えることができる。
【００６３】
次に、管理サーバ１の構成を述べる。
【００６４】
図７は、管理サーバ１の一例を示す構成図である。管理サーバ１は、ＣＰＵ１０、ＲＯＭ（Read Only Memory）１１、及びＲＡＭ（Random Access Memory）１２と、ＨＤＤ（Hard Disk Drive）１３と、及び通信ポート１４を有する。ＣＰＵ１０は、互いに信号の入出力ができるように、ＲＯＭ１１、ＲＡＭ１２、ＨＤＤ１３、及び複数の通信ポート１４と、バス１９を介して接続されている。なお、ＣＰＵ１０はコンピュータの一例である。
【００６５】
ＲＯＭ１１は、ＣＰＵ１０を駆動するプログラムが格納されている。ＲＡＭ１２は、ＣＰＵ１０のワーキングメモリとして機能する。複数の通信ポート１４は、ＲＯＡＤＭ装置２及び操作端末３との間でそれぞれパケットを送受信する。
【００６６】
ＣＰＵ１０は、ＲＯＭ１１からプログラムを読み込むと、機能として、パス決定部１００と、帯域管理部１０１と、セクション管理部１０２と、端末インターフェース部（端末ＩＮＦ部）１０３と、装置インターフェース部（装置ＩＮＦ部）１０４とが形成される。また、ＨＤＤ１３には、ネットワーク構成情報１３０と、セクションテーブル１３１と、帯域テーブル１３２とが記憶されている。
【００６７】
端末ＩＮＦ部１０３は、通信ポート１４を介して操作端末３と通信する。端末ＩＮＦ部１０３は、操作端末３の操作情報に基づきパス決定部１００及び帯域管理部１０１に指示を出力する。
【００６８】
パス決定部１００は、決定部の一例であり、各光信号の現用パス及び予備パスをそれぞれ決定する。パス決定部１００は、例えば、操作端末３から入力された始点ノード及び終点ノードＮ１〜Ｎ５の情報に基づき、ネットワーク構成情報１３０から始点ノード及び終点ノードＮ１〜Ｎ５の各ＲＯＡＤＭ装置２の間を結ぶ経路を算出する。ここで、ネットワーク構成情報１３０には、図１に示されるネットワーク５内のノードＮ１〜Ｎ５及びセクションＳＣ１〜ＳＣ８の関係を示す情報、及びＴＰ２３〜２５の伝送レートを示す情報などが含まれる。
【００６９】
パス決定部１００は、算出した経路から現用パス及び予備パスを決定する。パス決定部１００は、決定した現用パス及び予備パスの情報を帯域管理部１０１に出力する。
【００７０】
帯域管理部１０１は、セクションごとに現用パス及び予備パスの各周波数帯域を管理する。帯域管理部１０１は、オペレータの操作端末３の操作に従い、現用パス及び予備パスの設定、変更、削除を行う。
【００７１】
帯域管理部１０１は、割り当て部の一例であり、セクションＳＣ１〜ＳＣ８ごとに、各光信号の最大伝送レート分の周波数帯域が重ならないように、各光信号の現用パスに、その光信号の使用分の周波数帯域を割り当てる。すなわち、帯域管理部１０１は、図４を参照して述べたように、各現用パスの最大拡張可能帯域が重ならないように、各現用パスに使用帯域を割り当てる。より具体的には、帯域管理部１０１は、各光信号の最大伝送レート分の周波数帯域が隣接するように、各光信号の現用パスに、その光信号の使用分の周波数帯域を割り当てる。
【００７２】
また、帯域管理部１０１は、セクションＳＣ１〜ＳＣ８ごとに、各光信号の予備パスに、最大伝送レート分の周波数帯域のうち、未割当の周波数帯域を割り当てる。すなわち、帯域管理部１０１は、図４を参照して述べたように、各予備パスに、最大拡張可能帯域のうち、未割当帯域を割り当てる。
【００７３】
また、帯域管理部１０１は、例えば現用パス＃１〜＃３に新たな通信回線Ｌ１〜Ｌｍが収容される場合、操作端末３からの指示に基づき、現用パスに割り当てた周波数帯域を拡張する。帯域管理部１０１は、現用パスの拡張した周波数帯域の少なくとも一部が、予備パスに割り当てた周波数帯域と重なるとき、現用パスの拡張した周波数帯域と重ならないように予備パスの周波数帯域を変更する。すなわち、管理サーバ１は、図５を参照して述べたように、現用パスの拡張した使用帯域が、予備パスに割り当てた使用帯域と重なるとき、現用パス＃２の拡張された使用帯域と重ならないように予備パスの使用帯域を変更する。
【００７４】
また、帯域管理部１０１は、現用パスの周波数帯域を拡張する場合、その現用パスに対応する予備パスの周波数帯域も拡張する。帯域管理部１０１は、予備パスに割り当てた周波数帯域を拡張するとき、その拡張後の周波数帯域の少なくとも一部が、現用パスまたは他の予備パスに割り当てた周波数帯域と重なるか否かを判定する。帯域管理部１０１は、拡張後の周波数帯域の少なくとも一部が、現用パスまたは他の予備パスに割り当てた周波数帯域と重なると判定した場合、拡張後の周波数帯域が現用パスまたは他の予備パスに割り当てた周波数帯域と重ならないように、拡張対象の予備パスの周波数帯域を変更する。
【００７５】
すなわち、帯域管理部１０１は、図５を参照して述べたように、予備パスに割り当てた使用帯域を拡張するとき、その拡張後の使用帯域が、他の現用パスまたは他の予備パスに割り当てた使用帯域と重なるか否かを判定する。帯域管理部１０１は、予備パスの拡張後の使用帯域が、現用パス及び他の予備パスに割り当てた使用帯域と重なると判定した場合、予備パスの拡張後の使用帯域が、現用パス及び他の予備パスに割り当てた使用帯域と重ならないように、拡張対象の予備パスの使用帯域を変更する。
【００７６】
帯域管理部１０１は、上述した処理を、ＨＤＤ１３内のセクションテーブル１３１及び帯域テーブル１３２を用いて実行する。また、管理サーバ１は、ネットワーク構成情報１３０から、処理対象となる現用パス及び予備パスが設けられるセクションＳＣ１〜ＳＣ８を判別する。
【００７７】
図８には、セクションテーブル１３１及び帯域テーブル１３２の一例が示されている。セクションテーブル１３１は、セクションＳＣ１〜ＳＣ８を識別するセクションＩＤ（ＳＣ１〜ＳＣ８）ごとに、図２の符号Ｇで示された周波数ｆ１〜ｆｎ単位の割り当て状態を示す。割り当て状態は、一例として、記号「Ｗｒ」、「Ｗｕ」、「Ｐｕ」、「ＷＰ」、及び「−」で示される。
【００７８】
図９には、セクションテーブル１３１及び帯域テーブル１３２における記号及びパラメータの定義が示されている。図９において、符号Ｗａは、現用パスの光信号の周波数スペクトルを示し、符号Ｗｘは、現用パスの光信号の最大拡張可能帯域に対応する周波数スペクトルを示す。また、符号Ｗｂは、予備パスの光信号の周波数スペクトルを示す。なお、周波数ｆ１０〜ｆ２６は、図２の符号Ｇで示される周波数帯域を示す。
【００７９】
図９から理解されるように、記号「Ｗｕ」は、現用パスの使用帯域を示し、記号「Ｗｒ」は、現用パスの最大拡張可能帯域のうち、予備パスに割り当てられていない帯域を示す。また、記号「ＷＰ」は、現用パスの最大拡張可能帯域のうち、予備パスに割り当て済みの帯域、つまり、予備パスの使用帯域のうち、最大拡張可能帯域と重なる帯域を示し、記号「Ｐｕ」は、予備パスの使用帯域のうち、最大拡張可能帯域と重ならない帯域、つまり予備パスのみに割り当てられた帯域を示す。なお、記号「−」は、図示されていないが、現用パス及び予備パスの何れにも割り当てられておらず、最大拡張可能帯域でもない空き帯域を示す。
【００８０】
したがって、セクションテーブル１３１において、周波数ｆ１０〜ｆ１２には記号「Ｗｒ」が設定され、周波数ｆ１３〜ｆ１７には記号「Ｗｕ」が設定される。また、周波数ｆ１８には記号「Ｗｒ」が設定され、周波数ｆ１９には記号「ＷＰ」が設定され、周波数ｆ２０〜ｆ２５には記号「Ｐｕ」が設定される。
【００８１】
再び図８を参照すると、帯域管理部１０１は、後述するように、セクションテーブル１３１を参照して、現用パス及び予備パスに割り当てる使用帯域を検索する。また、帯域管理部１０１は、予備パスの使用帯域を変更するとき、セクションテーブル１３１を参照して変更先の帯域を検索する。さらに、帯域管理部１０１は、現用パス及び予備パスの使用帯域を拡張するとき、その拡張後の帯域の割り当て状態を、セクションテーブル１３１を参照して確認する。帯域管理部１０１は、現用パス及び予備パスに使用帯域の割り当て、拡張、及び削除を行った場合、あるいは予備パスの変更を行った場合、帯域テーブル１３２を更新する。
【００８２】
帯域テーブル１３２には、パスＩＤ、タイプ、ネットワークＩＤ（ＮＷ−ＩＤ）、系、セクションＩＤ、中心周波数Ｆｃ、最小使用周波数Ｆｂ、最大使用周波数Ｆｕ、下限周波数Ｆｒｂ、及び上限周波数Ｆｒｕが登録されている。パスＩＤは、現用パス及び予備パスを識別する識別子である。タイプはパスの冗長構成の有無を示す。ネットワークＩＤは、パスＩＤに該当する現用パスまたは予備パスが設けられたネットワーク５の識別子である。
【００８３】
系は、パスＩＤに該当するパスが現用パス（「現用」参照）及び予備パス（「予備」参照）の何れであるかを示す。セクションＩＤは、セクションＳＣ１〜ＳＣ８の識別子である。
【００８４】
また、中心周波数Ｆｃ、最小使用周波数Ｆｂ、最大使用周波数Ｆｕ、下限周波数Ｆｒｂ、及び上限周波数Ｆｒｕは、図９に示されている。中心周波数Ｆｃは、現用パス及び予備パスの周波数スペクトルの中心周波数を示す。本例では、現用パスの中心周波数Ｆｃは周波数ｆ１５であり、予備パスの中心周波数Ｆｃは周波数ｆ２２である。
【００８５】
最小使用周波数Ｆｂ及び最大使用周波数Ｆｕは、それぞれ、使用帯域の下限及び上限の周波数を示す。本例では、現用パスの最小使用周波数Ｆｂは周波数ｆ１３であり、現用パスの最大使用周波数Ｆｕは周波数ｆ１８である。また、予備パスの最小使用周波数Ｆｂは周波数ｆ１９であり、予備パスの最大使用周波数Ｆｕは周波数ｆ２６である。
【００８６】
下限周波数Ｆｒｂ及び上限周波数Ｆｒｕは、それぞれ、現用パスの最大拡張可能帯域の下限及び上限の周波数を示す。本例では、現用パスの下限周波数Ｆｒｂは周波数ｆ１０であり、現用パスの上限周波数Ｆｒｕは周波数ｆ２０である。なお、予備パスの下限周波数Ｆｒｂ及び上限周波数Ｆｒｕは、予備パスの最小使用周波数Ｆｂ及び最大使用周波数Ｆｕに一致する。
【００８７】
再び図７を参照すると、帯域管理部１０１は、帯域テーブル１３２に現用パスまたは予備パスの周波数帯域を登録した場合、あるいは登録済みの現用パスまたは予備パスの周波数帯域を変更した場合、その内容をセクション管理部１０２及び装置ＩＮＦ部１０４に通知する。セクション管理部１０２は、通知に基づきセクションテーブル１３１を更新し、装置ＩＮＦ部１０４は、通知に基づくパス設定情報を、通信ポート１４を介して、該当するＲＯＡＤＭ装置２に送信する。
【００８８】
ＲＯＡＤＭ装置２の制御ユニット２９は、パス設定情報に従い多重分離部２０に波長設定を行う。これにより、ＲＯＡＤＭ装置２は、帯域管理部１０１の周波数帯域の割り当てに従い、光信号Ｓ１〜Ｓ３を伝送する。
【００８９】
次に、管理サーバ１の処理について説明する。
【００９０】
図１０は、現用パスの設定処理の一例を示すフローチャートである。本処理は、オペレータが操作端末３を操作することにより、管理サーバ１にパスの設定を要求した場合に実行される。なお、周波数帯域の割り当て処理は、管理サーバ１が自動的に実行するため、オペレータの操作によらない。
【００９１】
まず、パス決定部１００は、ネットワーク構成情報１３０に基づき現用パスを決定する（ステップＳｔ１）。パス決定部１００は、一例として、図１のパスＰ１〜Ｐ４の経路を決定する。
【００９２】
次に、帯域管理部１０１は、決定された現用パスのセクションＳＣ１〜ＳＣ８の１つを選択する（ステップＳｔ２）。以降の処理では、新たなセクションＳＣ１〜ＳＣ８が選択されるまで、選択済みのセクションＳＣ１〜ＳＣ８における現用パスの設定処理が行われる。
【００９３】
次に、帯域管理部１０１は、セクションテーブル１３１を参照して、現用パスの最大拡張可能帯域を収容可能な帯域を検索する（ステップＳｔ３）。より具体的には、帯域管理部１０１は、セクションテーブル１３１の該当セクションＩＤについて、記号「−」または記号「Ｐｕ」の周波数帯域のうち、最大拡張可能帯域の幅より広い周波数帯域を検索する。これにより、帯域管理部１０１は、現用パス同士の最大拡張可能帯域が重ならないように、現用パスに使用帯域を割り当てる。
【００９４】
帯域管理部１０１は、検索の結果、該当する周波数帯域が無かった場合（ステップＳｔ４のＮｏ）、処理を終了する。また、帯域管理部１０１は、検索の結果、該当する周波数帯域が有った場合（ステップＳｔ４のＹｅｓ）、その周波数帯域から最大拡張可能帯域を決定し（ステップＳｔ５）、現用パスの使用帯域を決定する（ステップＳｔ６）。なお、最大拡張可能帯域は、ネットワーク構成情報１３０に含まれるＴＰ２３〜２５の伝送レートに基づき決定される。
【００９５】
次に、帯域管理部１０１は、セクションテーブル１３１を参照して、決定した現用パスの使用帯域が予備パスの使用帯域と重なるか否かを判定する（ステップＳｔ７）。より具体的には、帯域管理部１０１は、セクションテーブル１３１の該当セクションＩＤについて、決定した現用パスの使用帯域の少なくとも一部が、記号「Ｐｕ」に設定されているか否かを判定する。
【００９６】
現用パスの使用帯域が予備パスの使用帯域と重ならない場合（ステップＳｔ７のＮｏ）、セクション管理部１０２は、帯域管理部１０１の周波数帯域の割り当て結果に基づき、セクションテーブル１３１を更新する（ステップＳｔ９）。より具体的には、セクション管理部１０２は、セクションテーブル１３１の該当セクションＩＤについて、割り当てた使用帯域内の記号「−」を記号「Ｗｕ」とし、その拡張可能帯域のうち、使用帯域以外の周波数帯域内の記号「−」を記号「Ｗｒ」とする。
【００９７】
次に、帯域管理部１０１は、設定対象の現用パスのセクションＳＣ１〜ＳＣ８のうち、未選択のセクションの有無を判定する（ステップＳｔ１４）。帯域管理部１０１は、未選択のセクションが無い場合（ステップＳｔ１４のＮｏ）、決定した使用帯域及び拡張可能帯域を帯域テーブル１３２に設定する（ステップＳｔ１５）。より具体的には、帯域管理部１０１は、使用帯域の中心周波数Ｆｃ、最小使用周波数Ｆｂ、及び最大使用周波数Ｆｕと、最大拡張可能帯域の下限周波数Ｆｒｂ及び上限周波数Ｆｒｕを帯域テーブル１３２に登録する。また、帯域管理部１０１は、未選択のセクションが有る場合（ステップＳｔ１４のＹｅｓ）、ステップＳｔ２の処理において、他のセクションＳＣ１〜ＳＣ８を選択する。
【００９８】
また、帯域管理部１０１は、現用パスの使用帯域が予備パスの使用帯域と重なる場合（ステップＳｔ７のＹｅｓ）、帯域テーブル１３２を参照して、その予備パスを特定する（ステップＳｔ１０）。帯域管理部１０１は、以下の処理を実行することにより、特定した予備パスの使用帯域を変更する。
【００９９】
次に、帯域管理部１０１は、セクションテーブル１３１を参照して、該当する予備パスの使用帯域を収容可能な帯域を検索する（ステップＳｔ１１）。より具体的には、帯域管理部１０１は、セクションテーブル１３１の該当セクションＩＤについて、記号「−」または記号「Ｗｒ」の周波数帯域のうち、予備パスの使用帯域の幅より広い周波数帯域を検索する。
【０１００】
帯域管理部１０１は、検索の結果、該当する周波数帯域が無かった場合（ステップＳｔ１２のＮｏ）、処理を終了する。また、帯域管理部１０１は、検索の結果、該当する周波数帯域が有った場合（ステップＳｔ１２のＹｅｓ）、その周波数帯域から予備パスの変更先の使用帯域を決定する（ステップＳｔ１３）。
【０１０１】
次に、セクション管理部１０２は、上記のステップＳｔ９の処理を行う。このとき、セクション管理部１０２は、現用パスの使用帯域及び最大拡張可能帯域の設定に加えて、予備パスの使用帯域の設定変更を行う。より具体的には、セクション管理部１０２は、セクションテーブル１３１の該当セクションＩＤについて、現用パスに割り当てた使用帯域内の記号「−」及び記号「Ｐｕ」を記号「Ｗｕ」とし、その拡張可能帯域のうち、使用帯域以外の周波数帯域内の記号「−」及び記号「Ｐｕ」を記号「Ｗｒ」とする。また、セクション管理部１０２は、セクションテーブル１３１の該当セクションＩＤについて、予備パスの変更先の使用帯域内の記号「−」及び記号「Ｗｒ」をそれぞれ記号「Ｐｕ」及び記号「ＷＰ」とする。その後、上記のステップＳｔ１４の処理が実行される。
【０１０２】
次に、帯域管理部１０１は、未選択のセクションがない場合（ステップＳｔ１４のＮｏ）、上記のステップＳｔ８の処理を行う。このとき、帯域管理部１０１は、現用パスの使用帯域の設定に加えて、予備パスの使用帯域の設定変更を行う。より具体的には、使用帯域の中心周波数Ｆｃ、最小使用周波数Ｆｂ、最大使用周波数Ｆｕ、下限周波数Ｆｒｂ（＝Ｆｂ）、及び上限周波数Ｆｒｕ（＝Ｆｕ）を帯域テーブル１３２に登録する。このようにして、現用パスの設定処理は実行される。
【０１０３】
図１１は、予備パスの設定処理の一例を示すフローチャートである。本処理は、例えば、上述した現用パスの設定処理が行われた後、実行される。
【０１０４】
まず、パス決定部１００は、ネットワーク構成情報１３０に基づき予備パスを決定する（ステップＳｔ２１）。パス決定部１００は、一例として、図１のパスＰ１〜Ｐ４の経路を決定する。
【０１０５】
次に、帯域管理部１０１は、決定された現用パスのセクションＳＣ１〜ＳＣ８の１つを選択する（ステップＳｔ２２）。以降の処理では、新たなセクションＳＣ１〜ＳＣ８が選択されるまで、選択済みのセクションＳＣ１〜ＳＣ８における予備パスの設定処理が行われる。
【０１０６】
次に、帯域管理部１０１は、セクションテーブル１３１を参照して、予備パスの使用帯域を収容可能な帯域を検索する（ステップＳｔ２３）。より具体的には、帯域管理部１０１は、セクションテーブル１３１の該当セクションＩＤについて、記号「−」または記号「Ｗｒ」の周波数帯域のうち、使用帯域の幅より広い周波数帯域を検索する。これにより、帯域管理部１０１は、予備パスに、現用パスの最大拡張可能帯域のうち、未割当帯域を割り当てる。
【０１０７】
帯域管理部１０１は、検索の結果、該当する周波数帯域が無かった場合（ステップＳｔ２４のＮｏ）、処理を終了する。また、帯域管理部１０１は、検索の結果、該当する周波数帯域が有った場合（ステップＳｔ２４のＹｅｓ）、予備パスの使用帯域を決定する（ステップＳｔ２５）。
【０１０８】
次に、セクション管理部１０２は、帯域管理部１０１の周波数帯域の割り当て結果に基づき、セクションテーブル１３１を更新する（ステップＳｔ２７）。より具体的には、セクション管理部１０２は、セクションテーブル１３１の該当セクションＩＤについて、割り当てた使用帯域内の記号「−」及び記号「Ｗｒ」を、それぞれ記号「Ｐｕ」及び記号「ＷＰ」とする。
【０１０９】
次に、帯域管理部１０１は、設定対象の予備パスのセクションＳＣ１〜ＳＣ８のうち、未選択のセクションの有無を判定する（ステップＳｔ２８）。帯域管理部１０１は、未選択のセクションが無い場合（ステップＳｔ２８のＮｏ）、決定した使用帯域を帯域テーブル１３２に設定する（ステップＳｔ２９）。より具体的には、帯域管理部１０１は、使用帯域の中心周波数Ｆｃ、最小使用周波数Ｆｂ、最大使用周波数Ｆｕ、下限周波数Ｆｒｂ（＝Ｆｂ）、及び上限周波数Ｆｒｕ（＝Ｆｕ）を帯域テーブル１３２に登録する。
【０１１０】
また、帯域管理部１０１は、未選択のセクションが有る場合（ステップＳｔ２８のＹｅｓ）、ステップＳｔ２２の処理において、他のセクションＳＣ１〜ＳＣ８を選択する。このようにして、予備パスの設定処理は実行される。
【０１１１】
図１２は、現用パスの使用帯域の拡張処理の一例を示すフローチャートである。本処理は、オペレータが操作端末３を操作することにより、管理サーバ１に、現用パスに収容する通信回線Ｌ１〜Ｌｍの追加を要求した場合に実行される。なお、使用帯域の拡張帯域の決定は、管理サーバ１が自動的に実行するため、オペレータの操作によらない。なお、図１２において、図１０と共通する処理については、同一の符号を付し、その説明を省略する。
【０１１２】
帯域管理部１０１は、操作端末３からの情報から、通信回線Ｌ１〜Ｌｍを追加する現用パスを特定する（ステップＳｔ３１）。次に、帯域管理部１０１は、特定した現用パスのセクションＳＣ１〜ＳＣ８の１つを選択する（ステップＳｔ３２）。以降の処理では、新たなセクションＳＣ１〜ＳＣ８が選択されるまで、選択済みのセクションＳＣ１〜ＳＣ８における現用パスの使用帯域の拡張処理が行われる。
【０１１３】
次に、帯域管理部１０１は、操作端末３からの情報から、収容対象の通信回線Ｌ１〜Ｌｍに必要な周波数帯域（以下、「必要帯域」と表記）と現用パスの使用帯域を比較する（ステップＳｔ３３）。帯域管理部１０１は、必要帯域が現用パスの使用帯域以下である場合（ステップＳｔ３３のＹｅｓ）、使用帯域の拡張の必要がないため、処理を終了する。
【０１１４】
また、帯域管理部１０１は、必要帯域が現用パスの使用帯域より大きい場合（ステップＳｔ３３のＮｏ）、必要帯域と伝送路（光ファイバ９）の最大帯域を比較する（ステップＳｔ３４）。帯域管理部１０１は、必要帯域が伝送路の最大帯域より大きい場合（ステップＳｔ３４のＹｅｓ）、使用帯域の拡張が不可能であるため、処理を終了する。
【０１１５】
帯域管理部１０１は、必要帯域が伝送路の最大帯域以下である場合（ステップＳｔ３４のＮｏ）、必要帯域に基づき現用パスの使用帯域の拡張幅を決定する（ステップＳｔ３５）。次に、帯域管理部１０１は、セクションテーブル１３１を参照して、拡張した周波数帯域が予備パスの使用帯域と重なるか否かを判定する（ステップＳｔ３６）。より具体的には、帯域管理部１０１は、セクションテーブル１３１の該当セクションＩＤについて、拡張した周波数帯域内における記号「ＷＰ」の周波数帯域の有無を判定する。
【０１１６】
拡張した周波数帯域が予備パスの使用帯域と重ならない場合（ステップＳｔ３６のＮｏ）、セクション管理部１０２は、帯域管理部１０１が拡張した現用パスの使用帯域に基づき、セクションテーブル１３１を更新する（ステップＳｔ３８）。より具体的には、セクション管理部１０２は、セクションテーブル１３１の該当セクションＩＤについて、該当する現用パスの最大拡張可能帯域のうち、使用帯域として拡張した帯域内の記号「Ｗｒ」を記号「Ｗｕ」とする。
【０１１７】
次に、帯域管理部１０１は、設定対象の現用パスのセクションＳＣ１〜ＳＣ８のうち、未選択のセクションの有無を判定する（ステップＳｔ３９）。帯域管理部１０１は、未選択のセクションが無い場合（ステップＳｔ３９のＮｏ）、帯域テーブル１３２の現用パスの使用帯域の設定を更新する（ステップＳｔ４０）。より具体的には、帯域管理部１０１は、現用パスの使用帯域の最小使用周波数Ｆｂ及び最大使用周波数Ｆｕを更新する。
【０１１８】
また、帯域管理部１０１は、未選択のセクションが有る場合（ステップＳｔ３９のＹｅｓ）、ステップＳｔ３２の処理において、他のセクションＳＣ１〜ＳＣ８を選択する。
【０１１９】
また、帯域管理部１０１は、拡張した周波数帯域が予備パスの使用帯域と重なる場合（ステップＳｔ３６のＹｅｓ）、上記のステップＳｔ１０〜Ｓｔ１３の処理を実行する。このように、帯域管理部１０１は、現用パスの拡張した使用帯域が、予備パスに割り当てた使用帯域と重なる場合、現用パスの拡張された使用帯域と重ならないように予備パスの使用帯域を変更する。
【０１２０】
次に、セクション管理部１０２は、帯域管理部１０１が拡張した現用パスの使用帯域及び帯域管理部１０１が変更した予備パスの使用帯域に基づき、セクションテーブル１３１を更新する（ステップＳｔ３８）。より具体的には、セクション管理部１０２は、セクションテーブル１３１の該当セクションＩＤについて、予備パスの変更後の使用帯域内の記号「−」及び記号「Ｗｒ」を記号「Ｐｕ」及び記号「ＷＰ」にそれぞれ変更する。
【０１２１】
また、セクション管理部１０２は、セクションテーブル１３１の該当セクションＩＤについて、予備パスの変更前の使用帯域内の記号「Ｐｕ」及び記号「ＷＰ」を記号「−」及び記号「Ｗｒ」にそれぞれ変更する。さらに、セクション管理部１０２は、セクションテーブル１３１の該当セクションＩＤについて、該当する現用パスの最大拡張可能帯域のうち、使用帯域として拡張した帯域内の記号を記号「Ｗｕ」とする。その後、上記のステップＳｔ３９の処理が実行される。
【０１２２】
帯域管理部１０１は、未選択のセクションが無い場合（ステップＳｔ３９のＮｏ）、現用パスの拡張した使用帯域及び予備パスの変更した使用帯域に基づき帯域テーブル１３２を更新する（ステップＳｔ４０）。より具体的には、帯域管理部１０１は、現用パスの使用帯域の最小使用周波数Ｆｂ及び最大使用周波数Ｆｕと、予備パスの使用帯域の中心周波数Ｆｃ、最小使用周波数Ｆｂ、最大使用周波数Ｆｕ、下限周波数Ｆｒｂ（＝Ｆｂ）、及び上限周波数Ｆｒｕ（＝Ｆｕ）とを変更する。このようにして、現用パスの使用帯域の拡張処理は実行される。
【０１２３】
図１３は、予備パスの使用帯域の拡張処理の一例を示すフローチャートである。本処理は、例えば現用パスの使用帯域の拡張処理の後に実行される。なお、予備パスの使用帯域の拡張幅は現用パスの使用帯域の拡張幅と同じである。
【０１２４】
帯域管理部１０１は、帯域テーブル１３２から、使用帯域を拡張する予備パスを特定する（ステップＳｔ５１）。次に、帯域管理部１０１は、特定した予備パスのセクションＳＣ１〜ＳＣ８の１つを選択する（ステップＳｔ５２）。以降の処理では、新たなセクションＳＣ１〜ＳＣ８が選択されるまで、選択済みのセクションＳＣ１〜ＳＣ８における予備パスの使用帯域の拡張処理が行われる。
【０１２５】
次に、帯域管理部１０１は、帯域テーブル１３２に基づき、予備パスの使用帯域の拡張幅を決定する（ステップＳｔ５３）。次に、帯域管理部１０１は、セクションテーブル１３１を参照して、拡張した周波数帯域が他のパス（現用パス及び予備パス）の使用帯域と重なるか否かを判定する（ステップＳｔ５４）。
【０１２６】
より具体的には、帯域管理部１０１は、セクションテーブル１３１の該当セクションＩＤについて、拡張した周波数帯域内における記号「Ｐｕ」、記号「Ｗｕ」、または記号「ＷＰ」の周波数帯域の有無を判定する。このように、帯域管理部１０１は、予備パスに割り当てた使用帯域を拡張するとき、その拡張後の使用帯域が、他の現用パスまたは他の予備パスに割り当てた使用帯域と重なるか否かを判定する。
【０１２７】
拡張した周波数帯域が他のパスの使用帯域と重ならない場合（ステップＳｔ５４のＮｏ）、セクション管理部１０２は、帯域管理部１０１が拡張した予備パスの使用帯域に基づき、セクションテーブル１３１を更新する（ステップＳｔ５６）。より具体的には、セクション管理部１０２は、セクションテーブル１３１の該当セクションＩＤについて、予備パスの拡張後の使用帯域内の記号「−」及び記号「Ｗｒ」を記号「Ｐｕ」及び記号「ＷＰ」にそれぞれ変更する。
【０１２８】
次に、帯域管理部１０１は、拡張対象の予備パスのセクションＳＣ１〜ＳＣ８のうち、未選択のセクションの有無を判定する（ステップＳｔ５７）。帯域管理部１０１は、未選択のセクションが無い場合（ステップＳｔ５７のＮｏ）、帯域テーブル１３２の予備パスの使用帯域の設定を更新する（ステップＳｔ６１）。より具体的には、帯域管理部１０１は、予備パスの使用帯域の最小使用周波数Ｆｂ、最大使用周波数Ｆｕ、下限周波数Ｆｒｂ（＝Ｆｂ）、及び上限周波数Ｆｒｕ（＝Ｆｕ）を変更する。
【０１２９】
また、帯域管理部１０１は、未選択のセクションが有る場合（ステップＳｔ５７のＹｅｓ）、ステップＳｔ５２の処理において、他のセクションＳＣ１〜ＳＣ８を選択する。
【０１３０】
また、帯域管理部１０１は、拡張した周波数帯域が他のパスの使用帯域と重なる場合（ステップＳｔ５４のＹｅｓ）、拡張対象の予備パスの使用帯域を収容可能な周波数帯域を検索する（ステップＳｔ５８）。より具体的には、帯域管理部１０１は、セクションテーブル１３１の該当セクションＩＤについて、記号「−」または記号「Ｗｒ」の周波数帯域のうち、予備パスの使用帯域の幅より広い周波数帯域を検索する。
【０１３１】
帯域管理部１０１は、検索の結果、該当する周波数帯域が無かった場合（ステップＳｔ５９のＮｏ）、処理を終了する。また、帯域管理部１０１は、検索の結果、該当する周波数帯域が有った場合（ステップＳｔ５９のＹｅｓ）、その周波数帯域から予備パスの変更先の使用帯域を決定する（ステップＳｔ６０）。
【０１３２】
このように、帯域管理部１０１は、予備パスの拡張後の使用帯域が、他のパスに割り当てた使用帯域と重なると判定した場合、予備パスの拡張後の使用帯域が他のパスに割り当てた使用帯域と重ならないように、拡張対象の予備パスの使用帯域を変更する。
【０１３３】
次に、セクション管理部１０２は、帯域管理部１０１が変更した予備パスの使用帯域に基づき、セクションテーブル１３１を更新する（ステップＳｔ５６）。より具体的には、セクション管理部１０２は、セクションテーブル１３１の該当セクションＩＤについて、予備パスの変更後の使用帯域内の記号「−」及び記号「Ｗｒ」を記号「Ｐｕ」及び記号「ＷＰ」にそれぞれ変更する。
【０１３４】
また、セクション管理部１０２は、セクションテーブル１３１の該当セクションＩＤについて、予備パスの変更前の使用帯域内の記号「Ｐｕ」及び記号「ＷＰ」を記号「−」及び記号「Ｗｒ」にそれぞれ変更する。その後、上記のステップＳｔ５７の処理が実行される。
【０１３５】
帯域管理部１０１は、未選択のセクションが無い場合（ステップＳｔ５７のＮｏ）、予備パスの変更した使用帯域に基づき帯域テーブル１３２を更新する（ステップＳｔ６１）。より具体的には、帯域管理部１０１は、予備パスの使用帯域の中心周波数Ｆｃ、最小使用周波数Ｆｂ、最大使用周波数Ｆｕ、下限周波数Ｆｒｂ（＝Ｆｂ）、及び上限周波数Ｆｒｕ（＝Ｆｕ）を変更する。このようにして、予備パスの使用帯域の拡張処理は実行される。
【０１３６】
図１４は、現用パスの削除処理の一例を示すフローチャートである。本処理は、オペレータが操作端末３を操作することにより、管理サーバ１にパスの削除が要求された場合に実行される。なお、削除対象の現用パスに割り当てられた周波数帯域は自動的に解放されるため、オペレータの操作によらない。
【０１３７】
帯域管理部１０１は、ネットワーク構成情報１３０に基づき、削除する現用パスを決定する（ステップＳｔ７１）。次に、帯域管理部１０１は、決定された現用パスのセクションＳＣ１〜ＳＣ８の１つを選択する（ステップＳｔ７２）。以降の処理では、新たなセクションＳＣ１〜ＳＣ８が選択されるまで、選択済みのセクションＳＣ１〜ＳＣ８における現用パスの削除処理が行われる。
【０１３８】
次に、帯域管理部１０１は、帯域テーブル１３２から、削除対象の現用パスの情報を削除することにより、帯域テーブル１３２を更新する（ステップＳｔ７３）。次に、セクション管理部１０２は、削除した現用パスの使用帯域及び最大拡張可能帯域に基づき、セクションテーブル１３１を更新する（ステップＳｔ７４）。より具体的には、セクション管理部１０２は、セクションテーブル１３１の該当セクションＩＤについて、現用パスの最大拡張可能帯域内の記号「Ｗｕ」及び記号「Ｗｒ」を記号「−」とし、記号「ＷＰ」を記号「Ｐｕ」とする。
【０１３９】
次に、帯域管理部１０１は、削除対象の現用パスのセクションＳＣ１〜ＳＣ８のうち、未選択のセクションの有無を判定する（ステップＳｔ７５）。帯域管理部１０１は、未選択のセクションが無い場合（ステップＳｔ７５のＮｏ）、処理を終了する。また、帯域管理部１０１は、未選択のセクションが有る場合（ステップＳｔ７５のＹｅｓ）、ステップＳｔ７２の処理において、他のセクションＳＣ１〜ＳＣ８を選択する。このようにして、現用パスの削除処理は実行される。
【０１４０】
図１５は、予備パスの削除処理の一例を示すフローチャートである。本処理は、現用パスが削除された場合に実行される。なお、削除対象の予備パスに割り当てられた周波数帯域は自動的に解放されるため、オペレータの操作によらない。
【０１４１】
帯域管理部１０１は、ネットワーク構成情報１３０に基づき、削除する予備パスを決定する（ステップＳｔ８１）。次に、帯域管理部１０１は、決定された現用パスのセクションＳＣ１〜ＳＣ８の１つを選択する（ステップＳｔ８２）。以降の処理では、新たなセクションＳＣ１〜ＳＣ８が選択されるまで、選択済みのセクションＳＣ１〜ＳＣ８における予備パスの削除処理が行われる。
【０１４２】
次に、帯域管理部１０１は、帯域テーブル１３２から、削除対象の削除パスの情報を削除することにより、帯域テーブル１３２を更新する（ステップＳｔ８３）。次に、セクション管理部１０２は、削除した予備パスの使用帯域に基づき、セクションテーブル１３１を更新する（ステップＳｔ８４）。より具体的には、セクション管理部１０２は、セクションテーブル１３１の該当セクションＩＤについて、予備パスの使用帯域内の記号「Ｐｕ」及び記号「ＷＰ」を、それぞれ、記号「−」及び記号「Ｗｒ」とする。
【０１４３】
次に、帯域管理部１０１は、削除対象の現用パスのセクションＳＣ１〜ＳＣ８のうち、未選択のセクションの有無を判定する（ステップＳｔ８５）。帯域管理部１０１は、未選択のセクションが無い場合（ステップＳｔ８５のＮｏ）、処理を終了する。また、帯域管理部１０１は、未選択のセクションが有る場合（ステップＳｔ８５のＹｅｓ）、ステップＳｔ８２の処理において、他のセクションＳＣ１〜ＳＣ８を選択する。このようにして、予備パスの削除処理は実行される。
【０１４４】
次に、管理サーバ１の現用パス及び予備パスの周波数帯域の管理動作の一例を説明する。図１６〜図２２には、現用パス及び予備パスの周波数帯域の管理動作の一例が時系列に示されている。より具体的には、図１６〜図２２には、現用パス及び予備パスの周波数スペクトルが示されている。本例では、図１に示されたネットワーク５にパスを設ける場合を挙げるが、これに限定されることはなく、以下の管理動作は他の形態のネットワークにも同様に行うことができる。
【０１４５】
管理サーバ１は、現用パス＃１〜＃３及び予備パス＃１〜＃３を、ノードＮ１を始点とし、ノードＮ３を終点とする経路として決定する。現用パス＃１〜＃３は、ノードＮ１，Ｎ２，Ｎ３の各ＲＯＡＤＭ装置２を、この順に経由し、予備パス＃１〜＃３は、ノードＮ１，Ｎ５，Ｎ３の各ＲＯＡＤＭ装置２を、この順に経由する。つまり、現用パス＃１〜＃３はセクションＳＣ１，ＳＣ２を経由し、予備パス＃１〜＃３はセクションＳＣ３，ＳＣ４を経由する。
【０１４６】
現用パス＃１〜＃３は、予備パス＃１〜＃３にそれぞれ対応する。このため、例えば、現用パス＃１の経路に障害が発生した場合、パス切り替えが行われることにより、現用パス＃１に代えて予備パス＃１に光信号が伝送される。
【０１４７】
管理サーバ１は、図１６に示されるように、現用パス＃１〜＃３をセクションＳＣ１，ＳＣ２に設定し、予備パス＃１〜＃３をセクションＳＣ３，ＳＣ４に設定する。現用パス＃１，＃３の光信号は、ノードＮ１，Ｎ３の各ＲＯＡＤＭ装置２の１０（Ｇｂｐｓ）のＴＰ２３，２５により送受信され、現用パス＃２の光信号は、ノードＮ１，Ｎ３の各ＲＯＡＤＭ装置２の４０（Ｇｂｐｓ）のＴＰ２４により送受信される。
【０１４８】
このため、管理サーバ１は、現用パス＃１，＃３に１０（Ｇｂｐｓ）分の最大拡張可能帯域を確保し、現用パス＃２に４０（Ｇｂｐｓ）分の最大拡張可能帯域を確保する。なお、最大拡張可能帯域の周波数スペクトルは点線で示されている。
【０１４９】
管理サーバ１は、セクションＳＣ１，ＳＣ２において、それぞれ、各現用パス＃１〜＃３の最大拡張可能帯域が重ならないように、現用パス＃１〜＃３に１０（Ｇｂｐｓ）分の使用帯域をそれぞれ割り当てる。このとき、各現用パス＃１〜＃３の最大拡張可能帯域は互いに隣接する。なお、この１０（Ｇｂｐｓ）の伝送帯域は、例えば監視制御用の光信号に用いられる帯域である。
【０１５０】
また、管理サーバ１は、セクションＳＣ３，ＳＣ４において、それぞれ、各予備パス＃１〜＃３に、現用パス＃１〜＃３の使用帯域と同じ１０（Ｇｂｐｓ）分の使用帯域をそれぞれ割り当てる。なお、予備パス＃１〜＃３の最大拡張可能帯域は確保されない。
【０１５１】
次に、管理サーバ１は、図１７に示されるように、現用パス＃１〜＃３及び予備パス＃１〜＃３の使用帯域を拡張する。現用パス＃１及び予備パス＃１の使用帯域は５（Ｇｂｐｓ）分の周波数帯域に拡張される。このような場合としては、例えば、現用パス＃１及び予備パス＃１に約１（Ｇｂｐｓ）の通信回線Ｌ１〜Ｌｍを５回線分収容した場合が挙げられる。また、現用パス＃２及び予備パス＃２の使用帯域は２０（Ｇｂｐｓ）分の周波数帯域に拡張され、現用パス＃３及び予備パス＃３の使用帯域は３（Ｇｂｐｓ）分の周波数帯域に拡張される。
【０１５２】
次に、管理サーバ１は、図１８に示されるように、予備パス＃１〜＃３と同じ経路の新たな現用パス＃４をセクションＳＣ３，ＳＣ４に設定し、現用パス＃１〜＃３と同じ経路の新たな予備パス＃４をセクションＳＣ１，ＳＣ２に設定する。現用パス＃４及び予備パス＃４は対応し、各々の使用帯域は５（Ｇｂｐｓ）分の周波数帯域である。また、現用パス＃４の光信号は、ＲＯＡＤＭ装置２の他の１０（Ｇｂｐｓ）のＴＰにより送受信される。このため、現用パス＃４の最大拡張可能帯域は１０（Ｇｂｐｓ）分の周波数帯域となる。
【０１５３】
まず、管理サーバ１は、セクションＳＣ３，ＳＣ４において、低周波数側から現用パス＃４の使用帯域を収容可能な周波数帯域を検索する。現用パス＃４の使用帯域を収容する帯域としては、空き帯域（記号「−」）と予備パス＃１〜＃３の使用帯域（記号「Ｐｕ」）がある。このため、管理サーバ１は、低周波数側の予備パス＃１の使用帯域と重なるように、現用パス＃４に使用帯域を割り当てる。
【０１５４】
そして、管理サーバ１は、矢印で示されるように、予備パス＃４の使用帯域を、現用パス＃４の使用帯域と重ならないように変更する。変更先の帯域としては、空き帯域（記号「−」）と最大拡張可能帯域内の未割当帯域（記号「Ｗｒ」）がある。このため、管理サーバ１は、予備パス＃３の高周波数側の空き帯域に予備パス＃４の使用帯域を変更する。
【０１５５】
次に、管理サーバ１は、セクションＳＣ１，ＳＣ２において、低周波数側から予備パス＃４の使用帯域を収容可能な周波数帯域を検索する。予備パス＃４を収容する帯域としては、空き帯域（記号「−」）と最大拡張可能帯域内の未割当帯域（記号「Ｗｒ」）がある。
【０１５６】
このため、管理サーバ１は、セクションＳＣ１，ＳＣ２において、予備パス＃４に、現用パス＃１，＃２の各最大拡張可能帯域のうち、未割当帯域を割り当てる。すなわち、予備パス＃４は、現用パス＃１，＃２の各使用帯域の間の未割当帯域が割り当てられる。
【０１５７】
この未割当帯域は現用パス＃１，＃２の予約帯域である。このため、障害発生時のパス切り替えにより予備パス＃４に光信号が伝送されても、予備パス＃４の使用帯域は、現用パス＃１〜＃３の使用帯域と重っていないので、光信号のエラーは発生せず、通信サービスに影響はない。
【０１５８】
次に、管理サーバ１は、図１９に示されるように、予備パス＃１〜＃３と同じ経路の新たな現用パス＃５をセクションＳＣ３，ＳＣ４に設定し、現用パス＃１〜＃３と同じ経路の新たな予備パス＃５をセクションＳＣ１，ＳＣ２に設定する。現用パス＃５及び予備パス＃５は対応し、各々の使用帯域は５（Ｇｂｐｓ）分の周波数帯域である。また、現用パス＃５の光信号は、ＲＯＡＤＭ装置２の他の１０（Ｇｂｐｓ）のＴＰにより送受信される。このため、現用パス＃５の最大拡張可能帯域は１０（Ｇｂｐｓ）分の周波数帯域となる。
【０１５９】
管理サーバ１は、セクションＳＣ１，ＳＣ２において、低周波数側から予備パス＃５の使用帯域を収容可能な周波数帯域を検索する。予備パス＃５を収容する帯域としては、空き帯域（記号「−」）と最大拡張可能帯域内の未割当帯域（記号「Ｗｒ」）がある。
【０１６０】
このため、管理サーバ１は、セクションＳＣ１，ＳＣ２において、予備パス＃５に、現用パス＃２，＃３の各最大拡張可能帯域のうち、未割当帯域を割り当てる。すなわち、予備パス＃５は、現用パス＃２，＃３の各使用帯域の間の未割当帯域が割り当てられる。
【０１６１】
この未割当帯域は現用パス＃２，＃３の予約帯域である。このため、障害発生時のパス切り替えにより予備パス＃５に光信号が伝送されても、予備パス＃５の使用帯域は、現用パス＃１〜＃３の使用帯域と重っていないので、光信号のエラーは発生せず、通信サービスに影響はない。
【０１６２】
また、管理サーバ１は、セクションＳＣ３，ＳＣ４において、低周波数側から現用パス＃５の使用帯域を収容可能な周波数帯域を検索する。現用パス＃５の使用帯域を収容する帯域としては、空き帯域（記号「−」）と予備パス＃１〜＃３の使用帯域（記号「Ｐｕ」）がある。このため、管理サーバ１は、低周波数側の予備パス＃２の使用帯域と重なるように、現用パス＃５に使用帯域を割り当てる。
【０１６３】
また、管理サーバ１は、現用パス＃４，＃５の各最大拡張可能帯域が重ならないように現用パス＃５に使用帯域を割り当てる。このため、現用パス＃４，＃５の使用帯域が各最大拡張可能帯域まで拡張されても、現用パス＃４，＃５の光信号にエラーが生ずることはない。さらに、管理サーバ１は、現用パス＃４，＃５の各最大拡張可能帯域が隣接するように、現用パス＃５に使用帯域を割り当てるため、周波数帯域の利用効率が向上する。
【０１６４】
そして、管理サーバ１は、矢印で示されるように、予備パス＃２の使用帯域を、現用パス＃５の使用帯域と重ならないように変更する。変更先の帯域としては、空き帯域（記号「−」）と最大拡張可能帯域内の未割当帯域（記号「Ｗｒ」）がある。このため、管理サーバ１は、予備パス＃１の高周波数側の空き帯域に予備パス＃２の使用帯域を変更する。
【０１６５】
次に、管理サーバ１は、図２０に示されるように、セクションＳＣ１，ＳＣ２において、現用パス＃２の使用帯域を拡張する。例えば、現用パス＃２に１０（Ｇｂｐｓ）の通信回線Ｌ１〜Ｌｍを新たに収容する場合、現用パス＃２の使用帯域は３０（Ｇｂｐｓ）分の周波数帯域に拡張される。このとき、現用パス＃２の拡張された使用帯域の一部が、符号Ｚ１，Ｚ２で示されるように、予備パス＃４，＃５の使用帯域と重なる。
【０１６６】
また、管理サーバ１は、セクションＳＣ３，ＳＣ４において、現用パス＃２に対応する予備パス＃２の使用帯域も３０（Ｇｂｐｓ）分の周波数帯域に拡張する。このとき、予備パス＃２の拡張された使用帯域は、現用パス＃４，＃５及び予備パス＃１，＃３の各使用帯域と重ならないが、仮に重なるとすると、管理サーバ１は、拡張対象の予備パス＃２の使用帯域を、他の空き帯域または未割当帯域に変更する。
【０１６７】
次に、管理サーバ１は、図２１に示されるように、セクションＳＣ１，ＳＣ２において、現用パス＃２の拡張した使用帯域と重ならないように予備パス＃４，＃５の各使用帯域を変更する。変更先の帯域としては、空き帯域（記号「−」）と最大拡張可能帯域内の未割当帯域（記号「Ｗｒ」）がある。このため、管理サーバ１は、矢印で示されるように、現用パス＃３の高周波数側の空き帯域に予備パス＃４，＃５の使用帯域を変更する。
【０１６８】
予備パス＃４，＃５には、パス切り替えが行われない限り、光信号が伝送されない。このため、管理サーバ１は、パス切り替えが発生していない場合に予備パス＃４，＃５の使用帯域を変更することにより、通信サービスに影響することなく、現用パス＃２の使用帯域を拡張することができる。また、予備パス＃４，＃５の使用帯域は、現用パス＃２の拡張された使用帯域と重ならないように変更されるため、パス切り替えによる予備パス＃４，＃５の光信号の伝送に備えることができる。
【０１６９】
次に、管理サーバ１は、図２２に示されるように、セクションＳＣ１，ＳＣ２において、現用パス＃３を削除し、セクションＳＣ３，ＳＣ４において、予備パス＃３を削除する。これにより、現用パス＃３及び予備パス＃３に割り当てられていた使用帯域が、新たに使用可能な帯域として解放される。
【０１７０】
本実施例によると、以下に述べるように周波数帯域の利用効率を向上することができる。
【０１７１】
図２３には現用パス及び予備パスの一例が示されている。本例では、一組のＲＯＡＤＭ装置２が、光ファイバ９を介して接続されており、各ＲＯＡＤＭ装置２には、伝送レートが４０（Ｇｂｐｓ）のＴＰ２６ａ〜２６ｄが設けられている。なお、図２３には、簡略化のため、各ＲＯＡＤＭ装置２の構成として、ＴＰ２６ａ〜２６ｄだけが示されている。
【０１７２】
各ＲＯＡＤＭ装置２の間のセクションには、予備パスＡ，Ｂ及び現用パスＣ，Ｄが設定されている。予備パスＡには、各ＲＯＡＤＭ装置２のＴＰ２６ａ間で送受信される光信号が、パス切り替え時に伝送され、予備パスＢには、各ＲＯＡＤＭ装置２のＴＰ２６ｂ間で送受信される光信号が、パス切り替え時に伝送される。また、現用パスＣには、各ＲＯＡＤＭ装置２のＴＰ２６ｃ間で送受信される光信号が伝送され、現用パスＤには、各ＲＯＡＤＭ装置２のＴＰ２６ｄ間で送受信される光信号が伝送される。
【０１７３】
図２４には、比較例及び実施例における現用パスＣ，Ｄ及び予備パスＡ，Ｂの周波数帯域の割り当て状態が示されている。比較例では、現用パスＣ，Ｄ及び予備パスＡ，Ｂの各最大拡張可能帯域が重ならないように現用パスＣ，Ｄ及び予備パスＡ，Ｂに使用帯域がそれぞれ割り当てられる。
【０１７４】
これに対し、実施例では、上述したように、予備パスＡ，Ｂの最大拡張可能帯域は確保されず、現用パスＣ，Ｄの各最大拡張可能帯域だけが重ならないように現用パスＣ，Ｄに使用帯域がそれぞれ割り当てられる。このとき、現用パスＣ，Ｄの各最大拡張可能帯域は隣接する。また、予備パスＡには、現用パスＣ，Ｄの間の最大拡張可能帯域内の未割当帯域が割り当てられ、予備パスＢには、現用パスＤの最大拡張可能帯域内の未割当帯域が割り当てられる。
【０１７５】
ここで、現用パスＣ，Ｄ及び予備パスＡ，Ｂの各使用帯域を、最大拡張可能帯域（４０（Ｇｂｐｓ）分）の２分の１と仮定した場合、実施例において使用される帯域の合計Ｘ２０は、比較例において使用される帯域の合計Ｘ１０の半分となる。したがって、実施例では、所定の周波数帯域に比較例の約２倍のパスを設けることができるため、周波数帯域の利用効率が向上する。
【０１７６】
これまで述べたように、実施例の管理サーバ１は、波長多重された複数の光信号が伝送されるネットワーク５を管理し、パス決定部１００と、帯域管理部１０１とを有する。パス決定部１００は、各光信号の現用パス及び予備パスをそれぞれ決定する。
【０１７７】
帯域管理部１０１は、ネットワーク５内のセクションＳＣ１〜ＳＣ８ごとに、各光信号の最大伝送レート分の周波数帯域が重ならないように、各光信号の現用パスに、その光信号の使用分の周波数帯域を割り当てる。また、帯域管理部１０１は、セクションＳＣ１〜ＳＣ８ごとに、各光信号の予備パスに、最大伝送レート分の周波数帯域のうち、未割当の周波数帯域を割り当てる。
【０１７８】
上記の構成によると、予備パスに割り当てられた周波数帯域は、現用パスに割り当てられた周波数帯域と重ならないため、障害発生時のパス切り替えにより予備パスに光信号が伝送されても、光信号のエラーは発生せず、通信サービスに影響はない。
【０１７９】
また、現用パスの周波数帯域が拡張された場合、その拡張された周波数帯域は、予備パスの使用帯域と重なるが、他の現用パスの周波数帯域とは重ならない。予備パスには、障害発生によりパス切り替えが行われない限り、光信号が伝送されないため、現用パスの周波数帯域を、光信号のエラーなく拡張することができ、通信サービスへの影響が回避される。
【０１８０】
したがって、最大伝送レート分の周波数帯域のうち、未割当の帯域を予備パスに割り当てることにより、未割当帯域が有効に利用され、周波数帯域の利用効率が向上される。
【０１８１】
また、実施例のネットワークシステムは、複数の光信号を波長多重してそれぞれ伝送する複数のＲＯＡＤＭ装置２と、複数のＲＯＡＤＭ装置２が複数のノードＮ１〜Ｎ５にそれぞれ設けられたネットワーク５を管理する管理サーバ１とを有する。
【０１８２】
管理サーバ１は、パス決定部１００と、帯域管理部１０１とを有する。パス決定部１００は、各光信号の現用パス及び予備パスをそれぞれ決定する。
【０１８３】
帯域管理部１０１は、ネットワーク５内のセクションＳＣ１〜ＳＣ８ごとに、各光信号の最大伝送レート分の周波数帯域が重ならないように、各光信号の現用パスに、その光信号の使用分の周波数帯域を割り当てる。また、帯域管理部１０１は、セクションＳＣ１〜ＳＣ８ごとに、各光信号の予備パスに、最大伝送レート分の周波数帯域のうち、未割当の周波数帯域を割り当てる。
【０１８４】
複数のＲＯＡＤＭ装置２は、帯域管理部１０１の周波数帯域の割り当てに従い、複数の光信号を伝送する。
【０１８５】
実施例のネットワークシステムは、上記の管理サーバ１と同様の構成を含むので、上述した内容と同様の作用効果を奏する。
【０１８６】
また、実施例のネットワーク管理方法は、波長多重された複数の光信号が伝送されるネットワーク５を管理する方法において、以下の工程をＣＰＵ１０が実行する方法である。
工程（１）：各光信号の現用パス及び予備パスをそれぞれ決定する。
工程（２）：ネットワーク５内のセクションＳＣ１〜ＳＣ８ごとに、各光信号の最大伝送レート分の周波数帯域が重ならないように、各光信号の現用パスに、その光信号の使用分の周波数帯域を割り当てる。
工程（３）：セクションＳＣ１〜ＳＣ８ごとに、各光信号の予備パスに、最大伝送レート分の周波数帯域のうち、未割当の周波数帯域を割り当てる。
【０１８７】
実施例のネットワーク管理方法は、上記の管理サーバ１と同様の構成を含むので、上述した内容と同様の作用効果を奏する。
【０１８８】
また、実施例のネットワーク管理プログラムは、波長多重された複数の光信号が伝送されるネットワーク５を管理する方法において、以下の処理をＣＰＵ１０に実行させるプログラムである。
処理（１）：各光信号の現用パス及び予備パスをそれぞれ決定する。
処理（２）：ネットワーク５内のセクションＳＣ１〜ＳＣ８ごとに、各光信号の最大伝送レート分の周波数帯域が重ならないように、各光信号の現用パスに、その光信号の使用分の周波数帯域を割り当てる。
処理（３）：セクションＳＣ１〜ＳＣ８ごとに、各光信号の予備パスに、最大伝送レート分の周波数帯域のうち、未割当の周波数帯域を割り当てる。
【０１８９】
実施例のネットワーク管理プログラムは、上記の管理サーバ１と同様の構成を含むので、上述した内容と同様の作用効果を奏する。
【０１９０】
なお、上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【０１９１】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【０１９２】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１９３】
上述した実施形態は本発明の好適な実施の例である。但し、これに限定されるものではなく、本発明の要旨を逸脱しない範囲内において種々変形実施可能である。
【０１９４】
なお、以上の説明に関して更に以下の付記を開示する。
（付記１）  波長多重された複数の光信号が伝送されるネットワークを管理するネットワーク管理装置において、
前記複数の光信号の各々の現用パス及び予備パスをそれぞれ決定する決定部と、
前記ネットワーク内の隣接するノード間を結ぶリンクごとに、前記複数の光信号の各々の最大伝送レート分の周波数帯域が重ならないように、前記複数の光信号の各々の前記現用パスに、当該光信号の使用分の周波数帯域を割り当てる割り当て部とを有し、
前記割り当て部は、前記リンクごとに、前記複数の光信号の各々の前記予備パスに、前記最大伝送レート分の周波数帯域のうち、未割当の周波数帯域を割り当てることを特徴とするネットワーク管理装置。
（付記２）  前記割り当て部は、前記現用パスに割り当てた周波数帯域を拡張し、該拡張した周波数帯域の少なくとも一部が、前記予備パスに割り当てた周波数帯域と重なるとき、前記拡張した周波数帯域と重ならないように前記予備パスの周波数帯域を変更することを特徴とする付記１に記載のネットワーク管理装置。
（付記３）  前記割り当て部は、
前記予備パスに割り当てた周波数帯域を拡張するとき、該拡張後の周波数帯域の少なくとも一部が、前記現用パスまたは他の前記予備パスに割り当てた周波数帯域と重なるか否かを判定し、
前記拡張後の周波数帯域の少なくとも一部が、前記現用パスまたは他の前記予備パスに割り当てた周波数帯域と重なると判定した場合、前記拡張後の周波数帯域が前記現用パスまたは他の前記予備パスに割り当てた周波数帯域と重ならないように、該拡張対象の前記予備パスの周波数帯域を変更することを特徴とする付記１または２に記載のネットワーク管理装置。
（付記４）  前記割り当て部は、前記リンクごとに、前記複数の光信号の各々の最大伝送レート分の周波数帯域が隣接するように、前記複数の光信号の各々の前記現用パスに、当該光信号の使用分の周波数帯域を割り当てることを特徴とする付記１乃至３の何れかに記載のネットワーク管理装置。
（付記５）  複数の光信号を波長多重してそれぞれ伝送する複数の伝送装置と、
前記複数の伝送装置が複数のノードにそれぞれ設けられたネットワークを管理するネットワーク管理装置とを有し、
前記ネットワーク管理装置は、
前記複数の光信号の各々の現用パス及び予備パスをそれぞれ決定する決定部と、
前記ネットワーク内の隣接するノード間を結ぶリンクごとに、前記複数の光信号の各々の最大伝送レート分の周波数帯域が重ならないように、前記複数の光信号の各々の前記現用パスに、当該光信号の使用分の周波数帯域を割り当てる割り当て部とを有し、
前記割り当て部は、前記リンクごとに、前記複数の光信号の各々の前記予備パスに、前記最大伝送レート分の周波数帯域のうち、未割当の周波数帯域を割り当て、
前記複数の伝送装置は、前記割り当て部の周波数帯域の割り当てに従い、前記複数の光信号を伝送することを特徴とするネットワークシステム。
（付記６）  前記割り当て部は、前記現用パスに割り当てた周波数帯域を拡張し、該拡張した周波数帯域の少なくとも一部が、前記予備パスに割り当てた周波数帯域と重なるとき、前記拡張した周波数帯域と重ならないように前記予備パスの周波数帯域を変更することを特徴とする付記５に記載のネットワークシステム。
（付記７）  前記割り当て部は、
前記予備パスに割り当てた周波数帯域を拡張するとき、該拡張後の周波数帯域の少なくとも一部が、前記現用パスまたは他の前記予備パスに割り当てた周波数帯域と重なるか否かを判定し、
前記拡張後の周波数帯域の少なくとも一部が、前記現用パスまたは他の前記予備パスに割り当てた周波数帯域と重なると判定した場合、前記拡張後の周波数帯域が前記現用パスまたは他の前記予備パスに割り当てた周波数帯域と重ならないように、該拡張対象の前記予備パスの周波数帯域を変更することを特徴とする付記５または６に記載のネットワークシステム。
（付記８）  前記割り当て部は、前記リンクごとに、前記複数の光信号の各々の最大伝送レート分の周波数帯域が隣接するように、前記複数の光信号の各々の前記現用パスに、当該光信号の使用分の周波数帯域を割り当てることを特徴とする付記５乃至７の何れかに記載のネットワークシステム。
（付記９）  波長多重された複数の光信号が伝送されるネットワークを管理するネットワーク管理方法において、
前記複数の光信号の各々の現用パス及び予備パスをそれぞれ決定する工程と、
前記ネットワーク内の隣接するノード間を結ぶリンクごとに、前記複数の光信号の各々の最大伝送レート分の周波数帯域が重ならないように、前記複数の光信号の各々の前記現用パスに、当該光信号の使用分の周波数帯域を割り当てる工程と、
前記リンクごとに、前記複数の光信号の各々の前記予備パスに、前記最大伝送レート分の周波数帯域のうち、未割当の周波数帯域を割り当てる工程とを、コンピュータが実行することを特徴とするネットワーク管理方法。
（付記１０）  前記現用パスに割り当てた周波数帯域を拡張する工程と、
該拡張した周波数帯域の少なくとも一部が、前記予備パスに割り当てた周波数帯域と重なるとき、前記拡張した周波数帯域と重ならないように前記予備パスの周波数帯域を変更する工程を、前記コンピュータが実行することを特徴とする付記９に記載のネットワーク管理方法。
（付記１１）  前記予備パスに割り当てた周波数帯域を拡張するとき、該拡張後の周波数帯域の少なくとも一部が、前記現用パスまたは他の前記予備パスに割り当てた周波数帯域と重なるか否かを判定する工程と、
前記拡張後の周波数帯域の少なくとも一部が、前記現用パスまたは他の前記予備パスに割り当てた周波数帯域と重なると判定した場合、前記拡張後の周波数帯域が前記現用パスまたは他の前記予備パスに割り当てた周波数帯域と重ならないように、該拡張対象の前記予備パスの周波数帯域を変更する工程とを、前記コンピュータが実行することを特徴とする付記９または１０に記載のネットワーク管理方法。
（付記１２）  前記複数の光信号の各々の前記現用パスに、当該光信号の使用分の周波数帯域を割り当てる工程において、前記リンクごとに、前記複数の光信号の各々の最大伝送レート分の周波数帯域が隣接するように、前記複数の光信号の各々の前記現用パスに、当該光信号の使用分の周波数帯域を割り当てることを特徴とする付記９乃至１１の何れかに記載のネットワーク管理方法。
（付記１３）  波長多重された複数の光信号が伝送されるネットワークを管理するネットワーク管理プログラムにおいて、
前記複数の光信号の各々の現用パス及び予備パスをそれぞれ決定し、
前記ネットワーク内の隣接するノード間を結ぶリンクごとに、前記複数の光信号の各々の最大伝送レート分の周波数帯域が重ならないように、前記複数の光信号の各々の前記現用パスに、当該光信号の使用分の周波数帯域を割り当て、
前記リンクごとに、前記複数の光信号の各々の前記予備パスに、前記最大伝送レート分の周波数帯域のうち未割当の周波数帯域を割り当てる処理を、コンピュータに実行させることを特徴とするネットワーク管理プログラム。
（付記１４）  前記現用パスに割り当てた周波数帯域を拡張し、
該拡張した周波数帯域の少なくとも一部が、前記予備パスに割り当てた周波数帯域と重なるとき、前記拡張した周波数帯域と重ならないように前記予備パスの周波数帯域を変更する、処理を、前記コンピュータに実行させることを特徴とする付記１３に記載のネットワーク管理プログラム。
（付記１５）  前記予備パスに割り当てた周波数帯域を拡張するとき、該拡張後の周波数帯域の少なくとも一部が、前記現用パスまたは他の前記予備パスに割り当てた周波数帯域と重なるか否かを判定し、
前記拡張後の周波数帯域の少なくとも一部が、前記現用パスまたは他の前記予備パスに割り当てた周波数帯域と重なると判定した場合、前記拡張後の周波数帯域が前記現用パスまたは他の前記予備パスに割り当てた周波数帯域と重ならないように、該拡張対象の前記予備パスの周波数帯域を変更する、処理を、前記コンピュータに実行させることを特徴とする付記１３または１４に記載のネットワーク管理プログラム。
（付記１６）  前記複数の光信号の各々の前記現用パスに、当該光信号の使用分の周波数帯域を割り当てる処理において、前記リンクごとに、前記複数の光信号の各々の最大伝送レート分の周波数帯域が隣接するように、前記複数の光信号の各々の前記現用パスに、当該光信号の使用分の周波数帯域を割り当てることを特徴とする付記１３乃至１５の何れかに記載のネットワーク管理プログラム。
【符号の説明】
【０１９５】
１      管理サーバ
２      ＲＯＡＤＭ装置
２３〜２５，２６ａ〜２６ｄ   トランスポンダ（ＴＰ）
１００     パス決定部
１０１     帯域管理部
Ｎ１〜Ｎ５     ノード
ＳＣ１〜ＳＣ８    セクション
【図１】
2017163358.tif 000003
【図２】
2017163358.tif 000004
【図３】
2017163358.tif 000005
【図４】
2017163358.tif 000006
【図５】
2017163358.tif 000007
【図６】
2017163358.tif 000008
【図７】
2017163358.tif 000009
【図８】
2017163358.tif 000010
【図９】
2017163358.tif 000011
【図１０】
2017163358.tif 000012
【図１１】
2017163358.tif 000013
【図１２】
2017163358.tif 000014
【図１３】
2017163358.tif 000015
【図１４】
2017163358.tif 000016
【図１５】
2017163358.tif 000017
【図１６】
2017163358.tif 000018
【図１７】
2017163358.tif 000019
【図１８】
2017163358.tif 000020
【図１９】
2017163358.tif 000021
【図２０】
2017163358.tif 000022
【図２１】
2017163358.tif 000023
【図２２】
2017163358.tif 000024
【図２３】
2017163358.tif 000025
【図２４】
2017163358.tif 000026